【手続補正書】
【提出日】令和1年10月17日(2019.10.17)
【手続補正１】
【補正対象書類名】特許請求の範囲
【補正対象項目名】全文
【補正方法】変更
【補正の内容】
【特許請求の範囲】
【請求項１】
強化繊維に樹脂が含浸された複合材料層を積層して形成される複合材翼であって、
前記複合材料層は、前記複合材翼の背側と腹側とを結ぶ方向である翼厚方向に積層され、
表面から前記翼厚方向に所定の深さまでの表層領域と、前記表面から前記翼厚方向に前記所定の深さより深い深層領域と、を含む厚肉部分を有し、
前記表層領域における複合材料層の１層あたりの所定の範囲における厚さの中央値は、前記深層領域における複合材料層の１層あたりの所定の範囲における厚さの中央値よりも薄いことを特徴とする複合材翼。
【請求項２】
強化繊維に樹脂が含浸された複合材料層を積層して形成される複合材翼であって、
前記複合材料層は、前記複合材翼の背側と腹側とを結ぶ方向である翼厚方向に積層され、
表面から前記翼厚方向に所定の深さまでの表層領域と、前記表面から前記翼厚方向に前記所定の深さより深い深層領域と、を含む厚肉部分を有し、
前記表層領域における複合材料層の１層あたりの所定の範囲における厚さの平均値は、前記深層領域における複合材料層の１層あたりの所定の範囲における厚さの平均値よりも薄いことを特徴とする複合材翼。
【請求項３】
前記複合材翼の前縁側と後縁側とを結ぶ方向である翼幅方向と、前記複合材翼の翼頂側と翼根側とを結ぶ方向である翼長方向と、を含む面方向において、前記表層領域における複合材料層は、前記深層領域における複合材料層より、面積が大きいことを特徴とする請求項１または請求項２に記載の複合材翼。
【請求項４】
前記厚肉部分よりも薄く、前記深層領域を含まない薄肉部分をさらに有することを特徴とする請求項１から請求項３のいずれか１項に記載の複合材翼。
【請求項５】
前記背側の翼部分と、前記腹側の翼部分と、を有し、
前記背側の翼部分と前記腹側の翼部分とが中立面において接合されており、
前記背側の翼部分は、前記翼厚方向に、前記背側の表面から前記所定の深さまでの背側表層領域と、前記背側の表面から前記翼厚方向に前記所定の深さより深い背側深層領域と、を含み、
前記腹側の翼部分は、前記翼厚方向に、前記腹側の表面から前記所定の深さまでの腹側表層領域と、前記腹側の表面から前記翼厚方向に前記所定の深さより深い腹側深層領域と、を含むことを特徴とする請求項１から請求項４のいずれか１項に記載の複合材翼。
【請求項６】
前記複合材翼の前縁側と後縁側とを結ぶ方向である翼幅方向における端部は、前記背側表層領域と前記腹側表層領域とにより構成されており、
前記背側表層領域における複合材料層の翼幅方向における端部と、前記腹側表層領域における複合材料層の翼幅方向における端部と、が交互に他方の表層領域の複合材料層の中立面側表面に接触して設けられていることを特徴とする請求項５に記載の複合材翼。
【請求項７】
強化繊維に樹脂が含浸された複合材料層を積層して形成される複合材翼であって、
前記複合材料層は、前記複合材翼の背側と腹側とを結ぶ方向である翼厚方向に積層され、
前記背側の表面から前記翼厚方向に所定の深さまでの背側表層領域と、
前記背側の表面から前記翼厚方向に前記所定の深さより深い背側深層領域と、
前記腹側の表面から前記翼厚方向に所定の深さまでの腹側表層領域と、
前記腹側の表面から前記翼厚方向に前記所定の深さより深い腹側深層領域と、
を有し、
前記背側表層領域及び前記背側深層領域と、前記腹側表層領域及び前記腹側深層領域とが中立面において接合されており、
前記複合材翼の前縁側と後縁側とを結ぶ方向である翼幅方向における端部は、前記背側表層領域と前記腹側表層領域とにより構成されており、
前記背側表層領域における複合材料層の翼幅方向における端部と、前記腹側表層領域における複合材料層の翼幅方向における端部と、が交互に他方の表層領域の複合材料層の中立面側表面に接触して設けられていることを特徴とする複合材翼。
【請求項８】
強化繊維に樹脂が含浸された複合材料層を積層して複合材翼を製造する方法であって、
前記複合材翼の背側の表面を成形する背側成形面を有する背側成形型に、前記背側の表面から前記複合材翼の背側と腹側とを結ぶ方向である翼厚方向に、所定の深さまでの背側表層領域を構成する複合材料層を積層する背側表層領域積層ステップと、
前記背側成形型に積層した背側表層領域を構成する複合材料層の上に、前記背側の表面から前記翼厚方向に前記所定の深さより深い背側深層領域を構成する複合材料層を積層する背側深層領域積層ステップと、
前記複合材翼の腹側の表面を成形する腹側成形面を有する腹側成形型に、前記腹側の表面から前記翼厚方向に所定の深さまでの腹側表層領域を構成する複合材料層を積層する腹側表層領域積層ステップと、
前記腹側成形型に積層した腹側表層領域を構成する複合材料層の上に、前記腹側の表面から前記翼厚方向に前記所定の深さより深い腹側深層領域を構成する複合材料層を積層する腹側深層領域積層ステップと、
前記背側成形型に積層した背側表層領域及び背側深層領域をそれぞれ構成する複合材料層と、前記腹側成形型に積層した腹側表層領域及び腹側深層領域をそれぞれ構成する複合材料層と、を中立面において重ね合わせて接合する接合ステップと、
を含み、
前記背側表層領域における複合材料層の１層あたりの所定の範囲における厚さの中央値は、前記背側深層領域における複合材料層の１層あたりの所定の範囲における厚さの中央値よりも薄く、
前記腹側表層領域における複合材料層の１層あたりの所定の範囲における厚さの中央値は、前記腹側深層領域における複合材料層の１層あたりの所定の範囲における厚さの中央値よりも薄いことを特徴とする複合材翼の製造方法。
【請求項９】
強化繊維に樹脂が含浸された複合材料層を積層して複合材翼を製造する方法であって、
前記複合材翼の背側の表面を成形する背側成形面を有する背側成形型に、前記背側の表面から前記複合材翼の背側と腹側とを結ぶ方向である翼厚方向に、所定の深さまでの背側表層領域を構成する複合材料層を積層する背側表層領域積層ステップと、
前記背側成形型に積層した背側表層領域を構成する複合材料層の上に、前記背側の表面から前記翼厚方向に前記所定の深さより深い背側深層領域を構成する複合材料層を積層する背側深層領域積層ステップと、
前記複合材翼の腹側の表面を成形する腹側成形面を有する腹側成形型に、前記腹側の表面から前記翼厚方向に所定の深さまでの腹側表層領域を構成する複合材料層を積層する腹側表層領域積層ステップと、
前記腹側成形型に積層した腹側表層領域を構成する複合材料層の上に、前記腹側の表面から前記翼厚方向に前記所定の深さより深い腹側深層領域を構成する複合材料層を積層する腹側深層領域積層ステップと、
前記背側成形型に積層した背側表層領域及び背側深層領域をそれぞれ構成する複合材料層と、前記腹側成形型に積層した腹側表層領域及び腹側深層領域をそれぞれ構成する複合材料層と、を中立面において重ね合わせて接合する接合ステップと、
を含み、
前記背側表層領域における複合材料層の１層あたりの所定の範囲における厚さの平均値は、前記背側深層領域における複合材料層の１層あたりの所定の範囲における厚さの平均値よりも薄く、
前記腹側表層領域における複合材料層の１層あたりの所定の範囲における厚さの平均値は、前記腹側深層領域における複合材料層の１層あたりの所定の範囲における厚さの平均値よりも薄いことを特徴とする複合材翼の製造方法。